(57)【要約】【課題】  安定した調光が可能であり、また、制御や装置構成の簡素化が可能な表示装置を提供する。【解決手段】  表示装置ＰＪ１は、駆動状態の制御により調光可能な光源２Ｒ，２Ｇ，２Ｂを備える。光源２Ｒ，２Ｇ，２Ｂは、発光ダイオード素子（ＬＥＤ）を有する複数のランプ７Ｒ，７Ｇ，７Ｂを含む。また、表示装置ＰＪ１は、複数のランプ７Ｒ，７Ｇ，７Ｂが配される筐体の外気温度を検出する外気温度検出手段３５と、外気温度検出手段３５の検出結果に基づいて、各ランプ７Ｒ，７Ｇ，７Ｂの駆動状態を制御する光源制御手段３２とを備える。【選択図】    図２
2005353890.tif 000002
【特許請求の範囲】
【請求項１】
駆動状態の制御により調光可能な光源を備える表示装置であって、
前記光源は、発光ダイオード素子を有する複数のランプを含み、
前記複数のランプが配される筐体の外気温度を検出する外気温度検出手段と、
前記外気温度検出手段の検出結果に基づいて、前記各ランプの駆動状態を制御する光源制御手段と、を備えることを特徴とする表示装置。
【請求項２】
前記各ランプの積算駆動時間をカウントするカウンタ回路を備え、
前記光源制御手段は、前記外気温度検出手段の検出結果と前記各ランプの積算駆動時間とに基づいて、前記各ランプの駆動状態を制御することを特徴とする請求項１に記載の表示装置。
【請求項３】
駆動状態の制御により調光可能な光源を備える表示装置であって、
前記光源は、発光ダイオード素子を有する複数のランプを含み、
前記複数のランプが配される筐体の外気温度を検出する外気温度検出手段と、
前記複数のランプのうちの少なくとも一のランプの駆動状態を検出する駆動状態検出手段と、
前記外気温度検出手段の検出結果と前記駆動状態検出手段の検出結果とに基づいて、他のランプの駆動状態を制御する光源制御手段と、を備えることを特徴とする表示装置。
【請求項４】
前記各ランプの積算駆動時間をカウントするカウンタ回路を備え、
前記光源制御手段は、前記外気温度検出手段の検出結果と前記駆動状態検出手段の検出結果と前記各ランプの積算駆動時間とに基づいて、前記他のランプの駆動状態を制御することを特徴とする請求項３に記載の表示装置。
【請求項５】
駆動状態の制御により調光可能な光源を備える表示装置であって、
前記光源は、発光ダイオード素子を有する複数のランプを含み、
前記複数のランプのうちの少なくとも一のランプの温度を検出するランプ温度検出手段と、
該ランプの駆動状態を検出する駆動状態検出手段と、
前記ランプ温度検出手段の検出結果と前記駆動状態検出手段の検出結果とに基づいて、他のランプの駆動状態を制御する光源制御手段と、を備えることを特徴とする表示装置。
【請求項６】
前記各ランプの積算駆動時間をカウントするカウンタ回路を備え、
前記光源制御手段は、前記ランプ温度検出手段の検出結果と前記駆動状態検出手段の検出結果と前記各ランプの積算駆動時間とに基づいて、前記他のランプの駆動状態を制御することを特徴とする請求項５に記載の表示装置。
【請求項７】
駆動状態の制御により調光可能な光源を備える表示装置の調光方法であって、
前記光源は、発光ダイオード素子を有する複数のランプを含み、
前記複数のランプが配される筐体の外気温度を検出し、該外気温度の検出結果に基づいて、前記各ランプの駆動状態を制御することを特徴とする表示装置の調光方法。
【請求項８】
前記各ランプの積算駆動時間をカウントし、前記外気温度の検出結果と前記各ランプの積算駆動時間とに基づいて、前記各ランプの駆動状態を制御することを特徴とする請求項７に記載の表示装置の調光方法。
【請求項９】
駆動状態の制御により調光可能な光源を備える表示装置の調光方法であって、
前記光源は、発光ダイオード素子を有する複数のランプを含み、
前記複数のランプが配される筐体の外気温度を検出するともに、前記複数のランプのうちの少なくとも一のランプの駆動状態を検出し、前記外気温度の検出結果と前記駆動状態の検出結果とに基づいて、他のランプの駆動状態を制御することを特徴とする表示装置の調光方法。
【請求項１０】
前記各ランプの積算駆動時間をカウントし、前記外気温度の検出結果と前記駆動状態の検出結果と前記各ランプの積算駆動時間とに基づいて、前記他のランプの駆動状態を制御することを特徴とする請求項９に記載の表示装置の調光方法。
【請求項１１】
駆動状態の制御により調光可能な光源を備える表示装置の調光方法であって、
前記光源は、発光ダイオード素子を有する複数のランプを含み、
前記複数のランプのうちの少なくとも一のランプの温度を検出するとともに、該一のランプの駆動状態を検出し、前記ランプ温度の検出結果と前記駆動状態の検出結果とに基づいて、他のランプの駆動状態を制御することを特徴とする表示装置の調光方法。
【請求項１２】
前記各ランプの積算駆動時間をカウントし、前記ランプ温度の検出結果と前記駆動状態の検出結果と前記各ランプの積算駆動時間とに基づいて、前記他のランプの駆動状態を制御することを特徴とする請求項１１に記載の表示装置の調光方法。
【発明の詳細な説明】
【技術分野】
【０００１】
本発明は、駆動状態の制御により調光可能な光源を備える表示装置及びその調光方法に関する。
【背景技術】
【０００２】
画像や映像等を表示する表示装置としては、例えば、光源からの照明光を光変調素子（表示素子）で変調し、その像を拡大投射するプロジェクタが知られている。プロジェクタでは、光源の温度変化に応じて表示像の色変化が生じやすいことから、光源からの光の照明光量を調整し（以後、調光と称する）、使用環境に応じて画像や映像の色を補正したり、安定して色再現性を得たりする技術がある。
【０００３】
調光技術としては、例えば、光源（ランプ）の温度を検出し、その検出結果に基づいて光変調素子である液晶パネルの駆動状態を制御して、表示像の色温度を補正するものがある（例えば、特許文献１参照）。
あるいは、光源の駆動状態や温度を検出し、その検出結果に基づいて、光変調素子（表示素子）の駆動状態や光源用の冷却手段の駆動状態を制御して、表示像の色再現性の向上を図る技術がある（例えば、特許文献２参照）。
【特許文献１】特開平８−１４９４９４号公報
【特許文献２】特開２００２−３３３６７１号公報
【発明の開示】
【発明が解決しようとする課題】
【０００４】
光変調素子の駆動状態を制御して調光を行う技術は、光変調素子による階調の一部を色補正に当てるため、表現できる色数の減少を招く。
また、冷却手段の駆動状態を制御して調光を行う技術は、冷却手段による光源の温度制御に比較的時間がかかることから、調光のタイムラグが生じやすく、これを回避しようとすると冷却手段の大型化や制御の複雑化を招く。
【０００５】
本発明は、上記事情に鑑みてなされたものであり、安定した調光が可能であり、また、制御や装置構成の簡素化が可能な表示装置及びその調光方法を提供することを目的とする。
【課題を解決するための手段】
【０００６】
上記の目的を達成するために、本発明の第１の装置は、駆動状態の制御により調光可能な光源を備える表示装置であって、前記光源は、発光ダイオード素子を有する複数のランプを含み、前記複数のランプが配される筐体の外気温度を検出する外気温度検出手段と、前記外気温度検出手段の検出結果に基づいて、前記各ランプの駆動状態を制御する光源制御手段と、を備えることを特徴とする。
【０００７】
この第１の装置では、光源が発光ダイオード素子（ＬＥＤ）を有する複数のランプを含んでおり、各ランプ（ＬＥＤ）の駆動状態の制御により調光が行われる。各ランプの温度が変化すると発光波長が変化して調光状態の変化を招くものの、各ランプの駆動状態を制御することにより調光状態の補正が可能である。本発明者らは、光源が特にＬＥＤを有するランプからなる場合、外気温度の変化に応じて筐体内のランプ（ＬＥＤ）の温度が変化することに着目し、ランプの駆動状態の制御に際して、外気温度の検出結果を用いることにより本発明を完成した。すなわち、この第１の装置では、外気温度の検出結果に基づいて各ランプの駆動状態を制御し、これにより、安定した調光を行うことができる。この第１の装置では、光源（ＬＥＤ）の駆動状態の制御のみで調光を行うことが可能であることから、光変調素子（表示素子）や冷却手段を制御する技術に比べて、制御や装置構成の簡素化が図られる。
【０００８】
上記の第１の装置においては、前記各ランプの積算駆動時間をカウントするカウンタ回路を備え、前記光源制御手段は、前記外気温度検出手段の検出結果と前記各ランプの積算駆動時間とに基づいて、前記各ランプの駆動状態を制御するとよい。
すなわち、ＬＥＤは積算駆動時間に応じて特性が変化することが知られており、上記した外気温度の検出結果に加え、各ランプの積算駆動時間に基づいて、各ランプの駆動状態を制御することにより、長期にわたり安定した調光が可能となる。
【０００９】
本発明の第２の装置は、駆動状態の制御により調光可能な光源を備える表示装置であって、前記光源は、発光ダイオード素子を有する複数のランプを含み、前記複数のランプが配される筐体の外気温度を検出する外気温度検出手段と、前記複数のランプのうちの少なくとも一のランプの駆動状態を検出する駆動状態検出手段と、前記外気温度検出手段の検出結果と前記駆動状態検出手段の検出結果とに基づいて、他のランプの駆動状態を制御する光源制御手段と、を備えることを特徴とする。
【００１０】
この第２の装置では、上記第１の装置と同様に、光源が発光ダイオード素子（ＬＥＤ）を有する複数のランプを含んでおり、各ランプ（ＬＥＤ）の駆動状態の制御により調光が行われる。各ランプの温度が変化すると発光波長が変化して調光状態の変化を招くものの、各ランプの駆動状態を制御することにより調光状態の補正が可能である。さらに、この第２の装置では、上記第１の装置と同様に、外気温度の検出結果に基づいて各ランプの駆動状態を制御することから、安定した調光が可能となり、また、制御や装置構成の簡素化が図られる。また、この第２の装置では、複数のランプのうちの少なくとも一のランプの駆動状態の検出結果に基づいて、他のランプの駆動状態を制御することにより、各ランプの照明光量のバランスを所望の状態に保ちやすい。
【００１１】
上記の第２の装置においては、前記各ランプの積算駆動時間をカウントするカウンタ回路を備え、前記光源制御手段は、前記外気温度検出手段の検出結果と前記駆動状態検出手段の検出結果と前記各ランプの積算駆動時間とに基づいて、前記他のランプの駆動状態を制御することにより、長期にわたり安定した調光が可能となる。
【００１２】
本発明の第３の装置は、駆動状態の制御により調光可能な光源を備える表示装置であって、前記光源は、発光ダイオード素子を有する複数のランプを含み、前記複数のランプのうちの少なくとも一のランプの温度を検出するランプ温度検出手段と、該一のランプの駆動状態を検出する駆動状態検出手段と、前記ランプ温度検出手段の検出結果と前記駆動状態検出手段の検出結果とに基づいて、他のランプの駆動状態を制御する光源制御手段と、を備えることを特徴とする。
【００１３】
この第３の装置では、上記第１及び第２の装置と同様に、光源が発光ダイオード素子（ＬＥＤ）を有する複数のランプを含んでおり、各ランプ（ＬＥＤ）の駆動状態の制御により調光が行われる。各ランプの温度が変化すると発光波長が変化して調光状態の変化を招くものの、各ランプの駆動状態を制御することにより調光状態の補正が可能である。また、この第３の装置では、複数のランプのうちの少なくとも一のランプについての温度の検出結果と駆動状態の検出結果とに基づいて、他のランプの駆動状態を制御することにより、各ランプの照明光量のバランスが所望の状態に保たれ、安定した調光が可能となる。ここで、ランプ（ＬＥＤ）の温度は、直接検出してもよく、冷却手段などを介して間接的に検出してもよい。温度の検出対象が複数のランプのすべてである必要はなく、少なくともいずれか一のランプについて検出することにより、ランプの温度検出に伴う制御や装置構成の複雑化が回避される。
【００１４】
上記の第３の装置においては、前記各ランプの積算駆動時間をカウントするカウンタ回路を備え、前記光源制御手段は、前記ランプ温度検出手段の検出結果と前記駆動状態検出手段の検出結果と前記各ランプの積算駆動時間とに基づいて、前記他のランプの駆動状態を制御することにより、長期にわたり安定した調光が可能となる。
【００１５】
本発明の第１の方法は、駆動状態の制御により調光可能な光源を備える表示装置の調光方法であって、前記光源は、発光ダイオード素子を有する複数のランプを含み、前記複数のランプが配される筐体の外気温度を検出し、該外気温度の検出結果に基づいて、前記各ランプの駆動状態を制御することを特徴とする。
【００１６】
この第１の方法では、外気温度の検出結果に基づいて各ランプの駆動状態を制御し、これにより、安定した調光を行うことができる。また、光源（ＬＥＤ）の駆動状態の制御のみで調光を行うことが可能であることから、光変調素子（表示素子）や冷却手段を制御する技術に比べて、制御や装置構成の簡素化が図られる。
【００１７】
上記の第１の方法においては、前記各ランプの積算駆動時間をカウントし、前記外気温度の検出結果と前記各ランプの積算駆動時間とに基づいて、前記各ランプの駆動状態を制御することにより、長期にわたり安定した調光が可能となる。
【００１８】
本発明の第２の方法は、駆動状態の制御により調光可能な光源を備える表示装置の調光方法であって、前記光源は、発光ダイオード素子を有する複数のランプを含み、前記複数のランプが配される筐体の外気温度を検出するともに、前記複数のランプのうちの少なくとも一のランプの駆動状態を検出し、前記外気温度の検出結果と前記駆動状態の検出結果とに基づいて、他のランプの駆動状態を制御することを特徴とする。
【００１９】
この第２の方法では、上記第１の方法と同様に、外気温度の検出結果に基づいて各ランプの駆動状態を制御し、これにより、安定した調光を行うことができ、また、光源（ＬＥＤ）の駆動状態の制御のみで調光を行うことが可能であることから、光変調素子（表示素子）や冷却手段を制御する技術に比べて、制御や装置構成の簡素化が図られる。また、この第２の方法では、複数のランプのうちの少なくとも一のランプの駆動状態の検出結果に基づいて、他のランプの駆動状態を制御することにより、各ランプの照明光量のバランスを所望の状態に保ちやすい。
【００２０】
上記の第２の方法においては、前記各ランプの積算駆動時間をカウントし、前記外気温度の検出結果と前記駆動状態の検出結果と前記各ランプの積算駆動時間とに基づいて、前記他のランプの駆動状態を制御することにより、長期にわたり安定した調光が可能となる。
【００２１】
本発明の第３の方法は、駆動状態の制御により調光可能な光源を備える表示装置の調光方法であって、前記光源は、発光ダイオード素子を有する複数のランプを含み、前記複数のランプのうちの少なくとも一のランプの温度を検出するとともに、該ランプの駆動状態を検出し、前記ランプ温度の検出結果と前記駆動状態の検出結果とに基づいて、他のランプの駆動状態を制御することを特徴とする。
【００２２】
この第３の方法では、上記第１及び第２の方法と同様に、外気温度の検出結果に基づいて各ランプの駆動状態を制御し、これにより、安定した調光を行うことができ、また、光源（ＬＥＤ）の駆動状態の制御のみで調光を行うことが可能であることから、光変調素子（表示素子）や冷却手段を制御する技術に比べて、制御や装置構成の簡素化が図られる。また、この第３の方法では、複数のランプのうちの少なくとも一のランプについての温度の検出結果と駆動状態の検出結果とに基づいて、他のランプの駆動状態を制御することにより、各ランプの照明光量のバランスが所望の状態に保たれ、安定した調光が可能となる。温度の検出対象が複数のランプのすべてである必要はなく、少なくともいずれか一のランプについて検出することにより、ランプの温度検出に伴う制御や装置構成の複雑化が回避される。
【００２３】
上記の第３の方法においては、前記各ランプの積算駆動時間をカウントし、前記ランプ温度の検出結果と前記駆動状態の検出結果と前記各ランプの積算駆動時間とに基づいて、前記他のランプの駆動状態を制御することにより、長期にわたり安定した調光が可能となる。
【発明を実施するための最良の形態】
【００２４】
以下、本発明の実施形態例を図面に基づいて説明する。
【００２５】
（第１の実施形態）
図１は、本発明に係る表示装置の第１の実施形態である投射型表示装置（プロジェクタ）の概略構成図である。同図に示すプロジェクタＰＪ１は、異なる色光をそれぞれ射出することが可能な光源２Ｒ，２Ｇ，２Ｂと、液晶ライトバルブ（光変調手段）２２〜２４と、ダイクロイックプリズム２５と、投射系２６とを備えて構成されている。符号２７は、画像が投影表示されるスクリーンである。
【００２６】
光源２Ｒは、赤色光ＬＲを射出するＬＥＤランプ７Ｒと、ＬＥＤランプ７Ｒの光を反射するリフレクタ８とから構成されている。光源２Ｇは、緑色光ＬＧを射出するＬＥＤランプ７Ｇと、ＬＥＤランプ７Ｇの光を反射するリフレクタ８とから構成されている。光源２Ｂは、青色光ＬＢを射出するＬＥＤランプ７Ｂと、ＬＥＤランプ７Ｂの光を反射するリフレクタ８とから構成されている。ＬＥＤランプ７Ｒ，７Ｇ，７Ｂは、上記各色光を射出するＬＥＤ（発光ダイオード）素子から構成されている。
【００２７】
光源２Ｒ，２Ｇ，２Ｂは、液晶ライトバルブ（光変調手段）２２，２３，２４に対応して設けられている。
光源２Ｒから射出された赤色光ＬＲは、赤色光用液晶ライトバルブ２２に入射し、ここで変調される。光源２Ｇから射出された緑色光ＬＧは、緑色光用液晶ライトバルブ２３に入射し、ここで変調される。光源２Ｂから射出された青色光ＬＢは、青色光用液晶ライトバルブ２４に入射し、ここで変調される。
【００２８】
各液晶ライトバルブ２２〜２４によって変調された３つの色光は、クロスダイクロイックプリズム２５に入射され、ここで３つの色光が合成されてカラー画像を表す光が形成される。合成された光は投射レンズ等からなる投射系２６によりスクリーン２７上に投射され、拡大画像が投影される。
【００２９】
図２は、図１に示すプロジェクタＰＪ１の駆動回路を示すブロック図である。
図２において、各液晶ライトバルブ２２〜２４には、各色光に所定の画像処理を施す画像処理部３１が接続されており、この画像処理部３１で所定の画像処理が施された画像信号は各ライトバルブドライバ１２〜１４を介して各液晶ライトバルブ２２〜２４に供給される。
また、各ＬＥＤランプ７Ｒ，７Ｇ，７Ｂには、光源制御部（光源制御手段）３２及び画像解析部３４がＬＥＤ制御ドライバ１５〜１７を介して接続されており、画像解析部３４による画像信号の解析に基づいて、光源駆動信号が光源制御部３２に供給される。
【００３０】
また、光源制御部３２には、外気温度を検出するための外気温度センサー３５が接続されている。外気温度センサー３５は、ＬＥＤランプ７Ｒ，７Ｇ，７Ｂが収容される不図示の筐体の外部の気温（外気温度）を検出するものである。外気温度センサー３５としては、熱電対等の公知の様々な温度センサーが適用可能である。光源制御部３２は、外気温度センサー３５の検出結果に基づいて、各ＬＥＤランプ７Ｒ，７Ｇ，７Ｂの出力を制御するようになっている。
なお、本実施形態に係るプロジェクタＰＪ１は、上記画像処理部３１における画像処理と、上記画像解析部３４及びＬＥＤ制御ドライバ１５〜１７によるＬＥＤランプ７Ｒ，７Ｇ，７Ｂの出力制御（調光）とに基づいて画像表示を行うものである。
【００３１】
続いて、本実施形態のプロジェクタＰＪ１に適用されている調光方法について説明する。
まず、画像信号は、画像処理部３１及び画像解析部３４に入力される。画像解析部３４では、画像信号の解析を行って伸長係数やオフセット値等の画像処理パラメータを算出し、その情報を画像制御信号として画像処理部３１に供給する。画像処理部３１では、受け取った画像制御信号に基づき上記画像信号に対して所定の画像処理を行った後、その信号をライトバルブドライバ１２〜１４に入力する。ライトバルブドライバ１２〜１４は、受け取った画像信号に基づき各色光用の液晶ライトバルブ２２〜２４を制御する。
【００３２】
また、画像解析部３４は、画像信号の解析に基づいて光源駆動信号を光源制御部３２に供給する。光源制御部３２は、各ＬＥＤランプ７Ｒ，７Ｇ，７Ｂに対する最適駆動電流値を算出し、その情報をＬＥＤ制御ドライバ１５〜１７に供給する。ＬＥＤ制御ドライバ１５〜１７は、受け取った最適駆動電流値に基づいて、それぞれ対応するＬＥＤランプ７Ｒ，７Ｇ，７Ｂを制御し、液晶ライトバルブ２２〜２４に照射される光量を調整する（調光）。各液晶ライトバルブ２２〜２４に照射される光量の調整により、例えば、投影画像のホワイトバランスを調整することができる。
【００３３】
ここで、光量とは単位時間辺りの光量であり、光量を変化させる方法としては、例えば各ＬＥＤランプ７Ｒ，７Ｇ，７Ｂの発光強度を変化させて連続的に発光させる方法や、強度を一定のまま発光期間を変化させる方法や、発光強度と発光期間の両方を変化させる方法がある。本実施形態では、駆動電流値を制御して各ＬＥＤランプ７Ｒ，７Ｇ，７Ｂの発光強度を変化させることにより、各ＬＥＤランプ７Ｒ，７Ｇ，７Ｂの発光光量を変化させる。
【００３４】
また、本実施形態では、光源制御部３２における最適駆動電流値の算出は、外気温度センサー３５による外気温度の検出結果に基づいて行われる。具体的には、光源制御部３２は、各ＬＥＤランプ７Ｒ，７Ｇ，７Ｂの特性情報を与えるルックアップテーブルを記憶したＲＯＭ３６（フラッシュＲＯＭ等）を有しており、外気温度センサー３５ーの検出結果に対応する各ＬＥＤランプ７Ｒ，７Ｇ，７Ｂのそれぞれの最適駆動電流値を上記ルックアップテーブルから読み出して、その情報を各ＬＥＤ制御ドライバ１５〜１７に供給する。
【００３５】
ルックアップテーブルは、各ＬＥＤランプ７Ｒ，７Ｇ，７Ｂにおける外気温度と最適駆動電流値との関係に関する情報を、各ＬＥＤランプ７Ｒ，７Ｇ，７Ｂごとに保持しており、この情報は、例えば、予め実験等の測定により得たものである。例えば、ルックアップテーブルにおいて、使用温度範囲内における所定の外気温度ごと（例えば、１℃ごとあるいは５℃ごと等）に、各ＬＥＤランプ７Ｒ，７Ｇ，７Ｂの最適駆動電流値が対応付けられて記憶されている。なお、最適駆動電流値の算出は、上記したデータテーブルを使用する方法に限らず、例えば、外気温度と最適駆動電流値との関係を示す式にデータを入力することにより行ってもよい。
【００３６】
図３は、ＬＥＤの温度（ジャンクション温度）と発光特性の関係を示している。
図３に示すように、ＬＥＤは、一般に、ジャンクション温度が上昇すると、発光出力（Flux）が低下し、発光波長（Wavelength）が長波長化する。また、こうした発光特性は、発光色によって異なる。そのため、本実施形態のように、Ｒ、Ｇ、Ｂの各色に対応する複数のＬＥＤを有する光源では、ジャンクション温度が変化すると、各色の間で相対的な光量の比が変化することになる。これは、例えばカラー表示に際して、ホワイトバランスの変化を招く。
【００３７】
図２に戻り、光源制御部３２は、前述したように、外気温度センサー３５による外気温度の検出結果に基づいて各ＬＥＤランプ７Ｒ，７Ｇ，７Ｂの駆動電流値を最適な状態に制御する。ここで、ＬＥＤランプ７Ｒ，７Ｇ，７Ｂのジャンクション温度は、概ね外気温度に依存し、外気温度の変化に応じて筐体内の各ＬＥＤランプ７Ｒ，７Ｇ，７Ｂの温度が変化する。そのため、外気温度センサー３５の検出結果に基づいて各ＬＥＤランプ７Ｒ，７Ｇ，７Ｂの駆動電流値を最適な状態に制御することにより、各ＬＥＤランプ７Ｒ，７Ｇ，７Ｂの温度が変化した場合にも、それに伴う各ＬＥＤランプ７Ｒ，７Ｇ，７Ｂの発光波長特性の変化を補正することができる。そして、各ＬＥＤランプ７Ｒ，７Ｇ，７Ｂの光量（出力）を独立に制御することにより、色補正（ホワイトバランス）を行うことができ、また、画像や映像の色再現性を維持することができる。
【００３８】
このように、本実施形態のプロジェクタＰＪ１では、各ＬＥＤランプ７Ｒ，７Ｇ，７Ｂの駆動状態（駆動電流値）の制御のみで調光を行う。そのため、例えば、調光用として液晶ライトバルブ２２〜２４の中間調の一部を割り振る必要がなく、調光制御の複雑化や表現できる色数が減少することを回避できる。また、調光を目的としてＬＥＤランプ７Ｒ，７Ｇ，７Ｂの冷却能力を制御する必要がなく、光源の冷却構造の複雑化や冷却制御の複雑化を回避でき、表示装置の低コスト化に有利である。さらに、本実施形態では、調光を、ＬＥＤランプ７Ｒ，７Ｇ，７Ｂの駆動状態の制御のみで行うことから、調光に際して無駄な電力を消費しないですむという利点もある。
【００３９】
また、本実施形態のプロジェクタＰＪ１では、各ＬＥＤランプ７Ｒ，７Ｇ，７Ｂの温度が変化すると発光波長が変化して調光状態の変化を招くものの、外気温度センサー３５による外気温度の検出結果に基づいて、各ＬＥＤランプ７Ｒ，７Ｇ，７Ｂを最適駆動電流値に制御することにより、安定した調光を行うことができる。なお、本実施形態では、光源（ＬＥＤランプ）の温度ではなく、外気温度の検出結果を用いることで、温度検出に関わる構成が比較的簡素で済むという利点がある。
【００４０】
（第２の実施形態）
次に、本発明に係る第２の実施形態について図４及び図５を参照して説明する。
本実施形態におけるプロジェクタＰＪ２の基本構成は、第１の実施形態におけるプロジェクタＰＪ１と同様である。本実施形態においては、ＬＥＤランプの積算駆動時間をカウントするカウント回路を備えている。以下、第１の実施形態で説明した構成要素については同一符号を付し、その説明を省略または簡略化する。
【００４１】
図４において、光源制御部３２には、各ＬＥＤランプ７Ｒ，７Ｇ，７Ｂの積算駆動時間をカウントするカウント回路３７が接続されている。画像解析部３４からの光源駆動信号に基づいてカウンタ回路３７で各ＬＥＤランプ７Ｒ，７Ｇ，７Ｂの駆動時間が積算され、その情報が光源制御部３２に供給される。
【００４２】
光源制御部３２は、外気温度センサー３５による外気温度の検出結果とカウンタ回路３７から供給される積算駆動時間情報とに基づいて各ＬＥＤランプ７Ｒ，７Ｇ，７Ｂの最適駆動電流値の算出を行う。具体的には、光源制御部３２が有するＲＯＭ３６には、外気温度と積算駆動時間とに対応付けて各ＬＥＤランプ７Ｒ，７Ｇ，７Ｂの最適駆動電流値を保持するルックアップテーブルが記憶されている。光源制御部３２は、外気温度と積算駆動時間とに対応する各ＬＥＤランプ７Ｒ，７Ｇ，７Ｂのそれぞれの最適駆動電流値を上記ルックアップテーブルから読み出し、その情報を各ＬＥＤ制御ドライバ１５〜１７に供給する。
【００４３】
図５は、ＬＥＤの寿命特性の一例を示す図である。
図５に示すように、ＬＥＤは、一般に、駆動時間（点灯時間）の経過に伴い、発光出力（光束維持率）が徐々に低下する。また、こうした発光特性は、発光色によって異なる。そのため、本実施形態のように、Ｒ、Ｇ、Ｂの各色に対応する複数のＬＥＤを有する光源では、駆動時間の経過に伴い、各色の間で相対的な光量の比が変化することになる。これは、例えばカラー表示に際して、ホワイトバランスの変化を招く。
【００４４】
図４に戻り、光源制御部３２は、前述したように、外気温度の検出結果に加え、各ＬＥＤランプ７Ｒ，７Ｇ，７Ｂの積算駆動時間に基づいて、各ＬＥＤランプ７Ｒ，７Ｇ，７Ｂの駆動状態（駆動電流値）を制御する。これにより、温度変化に伴う各ＬＥＤランプ７Ｒ，７Ｇ，７Ｂの発光波長特性の変化の補正に加え、寿命特性に基づく各ＬＥＤランプ７Ｒ，７Ｇ，７Ｂの発光波長特性の変化を補正することができる。
その結果、本実施形態のプロジェクタＰＪ２では、長期にわたり安定した調光が可能となる。
【００４５】
なお、外気温度に対応する各ＬＥＤランプ７Ｒ，７Ｇ，７Ｂの最適駆動電流値を示すルックアップテーブルと、積算駆動時間に対応する各ＬＥＤランプ７Ｒ，７Ｇ，７Ｂの最適駆動電流値を示すルックアップテーブルとを分けて記憶してもよい。
【００４６】
（第３の実施形態）
次に、本発明に係る第３の実施形態について図６を参照して説明する。
本実施形態におけるプロジェクタＰＪ３の基本構成は、第１の実施形態におけるプロジェクタＰＪ１と同様である。本実施形態においては、複数のＬＥＤランプのうちの少なくとも一のランプの駆動状態を検出する駆動状態検出手段を備えている。以下、第１の実施形態で説明した構成要素については同一符号を付し、その説明を省略または簡略化する。
【００４７】
図６において、緑色光用のＬＥＤ制御ドライバ１６とＬＥＤランプ７Ｇとの間に、駆動状態検出手段としての電流検出器４０が配設されている。電流検出器４０は、ＬＥＤランプ７Ｇの駆動電流値を検出し、その情報を光源制御部３２に供給する。
【００４８】
光源制御部３２は、外気温度センサー３５による外気温度の検出結果と電流検出器４０により検出されるＬＥＤランプ７Ｇの駆動電流値とに基づいて、他のＬＥＤランプ７Ｒ，７Ｂの最適駆動電流値の算出を行う。具体的には、光源制御部３２が有するＲＯＭ３６には、外気温度とＬＥＤランプ７Ｇの駆動電流値とに対応付けて、他のＬＥＤランプ７Ｒ，７Ｂの最適駆動電流値をそれぞれ保持するルックアップテーブルが記憶されている。光源制御部３２は、外気温度とＬＥＤランプ７Ｇの駆動電流値とに対応する他のＬＥＤランプ７Ｒ，７Ｂのそれぞれの最適駆動電流値を上記ルックアップテーブルから読み出し、その情報をＬＥＤ制御ドライバ１５，１７に供給し、ＬＥＤランプ７Ｒ，７Ｂの駆動状態を制御する。これにより、緑光用のＬＥＤランプ７Ｇを基準として、他のＬＥＤランプ７Ｒ，７Ｂの温度変化に伴う発光波長特性の変化を補正することができる。
【００４９】
本実施形態のプロジェクタＰＪ３では、緑光用のＬＥＤランプ７Ｇの駆動状態を基準として、他のＬＥＤランプ７Ｒ，７Ｂの駆動状態を制御することから、そうした相対的な制御により、ホワイトバランスなどの色補正を比較的容易かつ確実に行うことができる。
【００５０】
なお、本実施形態において、駆動制御の基準となるＬＥＤランプを緑光用と定めたのは、現在、Ｒ、Ｇ、Ｂの３色のうち、緑光（Ｇ）用のＬＥＤランプの出力（輝度）が低い傾向にあるからである。本発明は、これに限らず、駆動制御の基準を、赤色光用あるいは青色光用のＬＥＤランプ、またはこれらの組み合わせとしてもよい。
【００５１】
また、本実施形態においても、第２の実施形態で示したように、各ＬＥＤランプ７Ｒ，７Ｇ，７Ｂの積算駆動時間をカウントし、積算駆動時間を加えた情報に基づいて、各ＬＥＤランプ７Ｒ，７Ｇ，７Ｂの駆動状態を制御してもよい。これにより、長期にわたり安定した調光が可能となる。
【００５２】
また、本実施形態では、電流検出器によってＬＥＤランプの駆動状態（駆動電流値）を検出しているが、ＬＥＤランプの駆動状態を検出する方法はこれに限らず、例えば、光源駆動信号からＬＥＤランプに対する駆動電流値を検出してもよい。
【００５３】
（第４の実施形態）
次に、本発明に係る第４の実施形態について図７を参照して説明する。
本実施形態におけるプロジェクタＰＪ４の基本構成は、第１の実施形態におけるプロジェクタＰＪ１及び第３の実施形態におけるプロジェクタＰＪ３と同様である。本実施形態においては、外気温度を検出する外気温度検出手段（外気温度センサー）に代えて、複数のＬＥＤランプのうちのいずれか一のランプの温度を検出するランプ温度検出手段を備えている。以下、第１及び第３の実施形態で説明した構成要素については同一符号を付し、その説明を省略または簡略化する。
【００５４】
図７において、プロジェクタＰＪ４は、緑光用のＬＥＤランプ７Ｇの温度を検出するランプ温度検出手段４５を備えている。ランプ温度検出手段４５としては、熱電対等の公知の様々な温度センサーが適用可能である。ＬＥＤランプ７Ｇの温度は、直接検出してもよく、冷却手段などを介して間接的に検出してもよい。ランプ温度検出手段４５によるＬＥＤランプ７Ｇの温度の検出結果は、光源制御部３２に供給される。
また、第３の実施形態と同様に、緑色光用のＬＥＤ制御ドライバ１６とＬＥＤランプ７Ｇとの間に、駆動状態検出手段としての電流検出器４０が配設されている。電流検出器４０は、ＬＥＤランプ７Ｇの駆動電流値を検出し、その情報を光源制御部３２に供給する。
【００５５】
光源制御部３２は、ランプ温度検出手段４５によるＬＥＤランプ７Ｇの温度の検出結果と電流検出器４０により検出されるＬＥＤランプ７Ｇの駆動電流値とに基づいて、他のＬＥＤランプ７Ｒ，７Ｂの最適駆動電流値の算出を行う。具体的には、光源制御部３２が有するＲＯＭ３６には、ＬＥＤランプ７Ｇの温度とＬＥＤランプ７Ｇの駆動電流値とに対応付けて、他のＬＥＤランプ７Ｒ，７Ｂの最適駆動電流値をそれぞれ保持するルックアップテーブルが記憶されている。光源制御部３２は、ＬＥＤランプ７Ｇの温度とＬＥＤランプ７Ｇの駆動電流値とに対応する他のＬＥＤランプ７Ｒ，７Ｂのそれぞれの最適駆動電流値を上記ルックアップテーブルから読み出し、その情報をＬＥＤ制御ドライバ１５，１７に供給し、ＬＥＤランプ７Ｒ，７Ｂの駆動状態を制御する。これにより、緑光用のＬＥＤランプ７Ｇを基準として、他のＬＥＤランプ７Ｒ，７Ｂの温度変化に伴う発光波長特性の変化を補正することができる。
【００５６】
本実施形態のプロジェクタＰＪ４では、緑光用のＬＥＤランプ７Ｇを基準として、他のＬＥＤランプ７Ｒ，７Ｂの駆動状態を制御することから、そうした相対的な制御により、ホワイトバランスなどの色補正を比較的容易かつ確実に行うことができる。
【００５７】
また、本実施形態のプロジェクタＰＪ４では、外気温度ではなく、ＬＥＤランプ７Ｇの温度を検出することから、温度変化に伴う各ＬＥＤランプ７Ｒ，７Ｇ，７Ｂの発光波長特性の変化の補正をより正確に行うことができる。これは、例えば、ＬＥＤランプ７Ｒ，７Ｇ，７Ｂに対する冷却能力の変化が比較的大きい場合などに有利である。なお、温度の検出対象が複数のＬＥＤランプ７Ｒ，７Ｇ，７Ｂのすべてである必要はなく、少なくとも一のランプ（ＬＥＤランプ７Ｇ）であればよいことから、ＬＥＤランプの温度検出に伴う制御や装置構成の複雑化が回避される。
【００５８】
なお、本実施形態においても、第２の実施形態で示したように、各ＬＥＤランプ７Ｒ，７Ｇ，７Ｂの積算駆動時間をカウントし、積算駆動時間を加えた情報に基づいて、各ＬＥＤランプ７Ｒ，７Ｇ，７Ｂの駆動状態を制御してもよい。これにより、長期にわたり安定した調光が可能となる。
【００５９】
また、上記各実施形態では、本発明に係る表示装置の形態としてプロジェクタ（投射型表示装置）を例に挙げて説明したが、直視型表示装置に適用することもできる。
【００６０】
また、上記各実施形態では、光変調素子として、Ｒ、Ｇ、Ｂの３色光用のＬＥＤランプを備えているが、これに限らず、２色以下あるいは４色以上に対応した複数のＬＥＤランプを備える構成や、同一色の複数のＬＥＤランプを備える構成であってもよい。
【００６１】
また、上記実施形態では光変調手段として液晶ライトバルブを用いているが、光変調手段としてＤＭＤ（デジタルミラーデバイス）等を用いても良いのは勿論である。
【００６２】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【図面の簡単な説明】
【００６３】
【図１】第１実施形態のプロジェクタの概略構成図。
【図２】図１に示すプロジェクタの駆動回路のブロック図。
【図３】ＬＥＤの温度（ジャンクション温度）と発光特性の関係を示す図。
【図４】第２実施形態のプロジェクタの駆動回路のブロック図。
【図５】ＬＥＤの寿命特性を示す図。
【図６】第３実施形態のプロジェクタの駆動回路のブロック図。
【図７】第４実施形態のプロジェクタの駆動回路のブロック図。
【符号の説明】
【００６４】
ＰＪ１，ＰＪ２，ＰＪ３，ＰＪ４…プロジェクタ、２Ｒ，２Ｇ，２Ｂ…光源、２２，２３，２４…液晶ライトバルブ（光変調素子）、７Ｒ，７Ｇ，７Ｂ…ＬＥＤランプ、１５，１６，１７…ＬＥＤ制御ドライバ、２２…光源制御部（光源制御手段）、３１…画像処理部、３４…画像解析部、３５…外気温度センサー（外気温度検出手段）、３６…ＲＯＭ、３７…カウンタ回路、４０…電流検出器（駆動状態検出手段）、４５…ランプ温度検出手段。
【図１】
2005353890.tif 000003
【図２】
2005353890.tif 000004
【図３】
2005353890.tif 000005
【図４】
2005353890.tif 000006
【図５】
2005353890.tif 000007
【図６】
2005353890.tif 000008
【図７】
2005353890.tif 000009